(57)【要約】【課題】照明灯の自動消灯機能と連動させて空調装置の運転制御を実現するようにして、機能付加によるコスト増加を極力抑制しながら、乗りかご内の快適性向上、消費電力削減を図る。【解決手段】乗りかごが待機状態に移行し、且つ、乗りかごのドアが閉状態となったときにタイマ１５がカウントを開始し、タイマ１５が所定時間をカウントしたら消灯リレー１６の常閉接点１６ａを開成することに加えて、冷房停止リレー１７の常閉接点１７ｂも開成する構成とする。これにより、乗りかご内に乗客が存在しないと推定される状況で照明灯２の自動消灯に連動して冷房装置１の運転が自動的に停止される。【選択図】図２
2008037614.tif 000002
【特許請求の範囲】
【請求項１】
エレベータの乗りかごが待機状態に移行したことを検出するかご待機検出手段と、
前記乗りかごのドアが閉状態となったことを検出するドア閉検出手段と、
前記乗りかごが待機状態に移行し、且つ、前記乗りかごのドアが閉状態となったときにカウントを開始し、新たな呼び登録がないことを条件としてカウントを継続するタイマ手段と、
前記タイマ手段により所定時間がカウントされたときに、前記乗りかご内の照明灯を消灯する照明消灯手段とを備えたエレベータの制御装置において、
前記タイマ手段により所定時間がカウントされたときに、前記乗りかご内を空調する空調装置の運転を停止させる空調停止手段を設けたことを特徴とするエレベータ制御装置。
【請求項２】
前記空調停止手段による前記空調装置の運転停止制御中に新たな呼び登録があった場合に、当該呼び登録がされてから前記乗りかごが目的階床に到着してドアが開くまでの間に、前記空調装置の運転を再開させる空調再開手段を更に備えることを特徴とする請求項１に記載のエレベータ制御装置。
【請求項３】
現在の時間帯が第１の時間帯か第２の時間帯かを判別する時間帯判別手段と、
前記時間帯判別手段により現在の時間帯が第２の時間帯であると判定されたときに、エレベータの乗りかご内の照明灯を消灯する照明消灯手段とを備えたエレベータの制御装置において、
前記時間帯判別手段により現在の時間帯が第１の時間帯であると判定されたときに、前記乗りかご内を空調する空調装置を冷温風の吹き出しが可能な第１のモードで運転させるとともに、前記時間帯判別手段により現在の時間帯が第２の時間帯であると判定されたときに、前記空調装置を送風のみが可能な第２のモードで運転させる空調モード切替手段とを備えることを特徴とするエレベータ制御装置。
【請求項４】
前記第１のモードと第２のモードとを手動で切り替えるためのモード切替スイッチを更に備え、
前記空調モード切替手段は、前記時間帯判別手段により現在の時間帯が第１の時間帯であると判定された場合であっても、前記モード切替スイッチにより前記第２のモードが選択されているときは、前記空調装置を前記第２のモードで運転させることを特徴とする請求項３に記載のエレベータ制御装置。
【請求項５】
前記乗りかごが待機状態に移行したことを検出するかご待機検出手段と、
前記乗りかごのドアが閉状態となったことを検出するドア閉検出手段と、
前記乗りかごが待機状態に移行し、且つ、前記乗りかごのドアが閉状態となったときにカウントを開始し、新たな呼び登録がないことを条件としてカウントを継続するタイマ手段とを更に備え、
前記空調モード切替手段は、前記時間帯判別手段により現在の時間帯が第２の時間帯であると判定された場合であっても、前記タイマ手段により所定時間がカウントされたときには、前記第２のモードによる前記空調装置の運転を停止させることを特徴とする請求項３に記載のエレベータ制御装置。
【請求項６】
乗りかごが待機状態に移行したことを検出するかご待機検出手段と、
前記乗りかごのドアが閉状態となったことを検出するドア閉検出手段と、
前記乗りかごが待機状態に移行し、且つ、前記乗りかごのドアが閉状態となったときにカウントを開始し、新たな呼び登録がないことを条件としてカウントを継続するタイマ手段と、
前記タイマ手段により所定時間がカウントされたときに、前記乗りかご内の照明灯を消灯する照明消灯手段とを備えたエレベータに設置され、
前記エレベータの乗りかご内を空調する空調装置の運転方法であって、
前記タイマ手段により所定時間がカウントされたときに、前記空調装置の運転を停止させることを特徴とするエレベータ用空調装置の運転方法。
【発明の詳細な説明】
【技術分野】
【０００１】
本発明は、乗りかご内の照明灯を自動消灯する機能を有するエレベータの制御装置に関し、特に、乗りかご内を空調する空調装置が後付けで設置されたエレベータに適用して好適なエレベータ制御装置及びエレベータ用空調装置の運転方法に関する。
【背景技術】
【０００２】
近年、エレベータの乗りかご内の快適性向上のために、乗りかご外部に冷房装置を取り付けて冷風を乗りかご内部に導入し、乗りかご内を積極的に冷房する冷房機能付きのエレベータが開発されている（例えば、特許文献１〜３等を参照。）。この種の冷房機能付きエレベータは、開発段階で冷房装置の設置を前提としたレイアウト設計や制御仕様の策定等が可能であり、個々のエレベータ毎に最適化が可能であるという利点がある。その一方で、既設のエレベータに対して新たに冷房機能を付加しようと考えた場合には、多数の部品交換や制御仕様の大幅な変更等が必要となり、場合によっては乗りかご全体を交換する必要が生じ、コストが嵩むといった問題がある。
【０００３】
このような観点から、既設のエレベータに対して低コストで、且つ、本来の機能を損なうことなく効率的に冷房機能を付加できるようにすることが求められている。
【特許文献１】特開平５−３１９７４３号公報
【特許文献２】特開２００５−２８０９０１号公報
【特許文献３】特開２００６−１７６３２６号公報
【発明の開示】
【発明が解決しようとする課題】
【０００４】
エレベータの機能の１つとして、例えば、乗りかごが待機状態となってから所定時間経過後、或いは夜間の時間帯など、乗りかご内に乗客が存在していないことが推定される状況では乗りかご内の照明灯を自動消灯して消費電力の削減を図るといった機能が知られている。この照明灯の自動消灯機能は、既設のエレベータの多くに設けられている機能である。
【０００５】
この種の消費電力削減を図るための制御機能は、冷房装置などの空調装置の運転制御に対しても有効な機能であり、既設のエレベータに対して冷房機能を付加する場合は、この種の制御機能も盛り込むことが求められる。このとき、空調装置の運転制御に特化した独立の機能としてこの種の制御機能を新たに盛り込もうとすると、機能実現のために新たに設ける部品点数が多くなり、また、新たな制御仕様の策定が必要となり、上述した低コスト化の要求を満たすことが困難になる。
【０００６】
本発明は、以上のような実情に鑑みて創案されたものであって、照明灯の自動消灯機能と連動させて空調装置の運転制御を実現するようにして、機能付加によるコスト増加を極力抑制しながら、乗りかご内の快適性向上、さらには消費電力削減も図ることができるエレベータ制御装置及びエレベータ用空調装置の運転方法を提供することを目的としている。
【課題を解決するための手段】
【０００７】
本発明に係るエレベータ制御装置は、乗りかごが待機状態に移行し、且つ、乗りかごのドアが閉状態となったときにタイマ手段がカウントを開始し、タイマ手段が所定時間をカウントしたら乗りかご内の照明灯を消灯する機能を持つ制御装置に、前記タイマ手段が所定時間がカウントしたときに、乗りかご内を空調する空調装置の運転を停止させる機能を設けたものである。
【０００８】
また、本発明に係る他のエレベータ制御装置は、時間帯判別手段により現在の時間帯が第２の時間帯であると判定されたときに乗りかご内の照明灯を消灯する機能を持つ制御装置に、前記時間帯判別手段により現在の時間帯が第１の時間帯であると判定されると乗りかご内を空調する空調装置を冷温風の吹き出しが可能な第１のモードで運転させ、前記時間帯判別手段により現在の時間帯が第２の時間帯であると判定されると空調装置を送風のみが可能な第２のモードで運転させる機能を設けたものである。
【０００９】
また、本発明に係るエレベータ用空調装置の運転方法は、乗りかごが待機状態に移行し、且つ、乗りかごのドアが閉状態となったときにタイマ手段がカウントを開始し、タイマ手段が所定時間をカウントしたら乗りかご内の照明灯を消灯する機能を持つエレベータに設置された空調装置の運転を、タイマ手段が所定時間をカウントして乗りかご内の照明灯が消灯するのと連動させて停止させるようした。
【発明の効果】
【００１０】
本発明によれば、照明灯の自動消灯機能と連動させたかたちで空調装置の運転制御が実現されるので、既設のエレベータに新たに空調機能を付加させる場合であっても、機能付加によるコスト増加を極力抑制しながら、乗りかご内の快適性向上、さらには消費電力削減も図ることができる。
【発明を実施するための最良の形態】
【００１１】
以下、本発明に係るエレベータ制御装置の具体的な実施形態について、図面を参照しながら説明する。
【００１２】
［第１の実施形態］
図１は、本発明が適用されるエレベータの乗りかご内部の様子を示す図である。本発明は、図１に示すように、乗りかご内部に冷房装置１が取り付けられたエレベータを対象とする。この冷房装置１は、既設のエレベータの乗りかごに対して後付けで簡便に取り付けられるように、室内外機一体型のコンパクトな形状に構成され、乗りかごの側板に設けられた開口部を塞ぐかたちで乗りかご内部に取り付けられている。また、乗りかごの天井には、既存の設備として乗りかご内を照明するための照明灯２が設けられている。この照明灯２は、乗りかご内に乗客が存在していないことが推定される状況では自動消灯するように、エレベータ制御装置によって制御されるものである。
【００１３】
本実施形態のエレベータ制御装置は、冷房装置１の後付けによる制御内容の大幅な変更を回避しながら、乗りかご内に乗客が存在していない状況で冷房装置１が運転を継続することによる無駄な消費電力の削減を図るために、照明灯２の自動消灯と連動させて冷房装置１の運転、すなわち冷房装置１のコンプレッサや送風ファンへの電源供給を自動的に停止させる機能を持たせたものである。
【００１４】
図２は、本実施形態のエレベータ制御装置の要部構成を示す回路図である。この図２に示すように、直流電源端子Ｐ，Ｎ間には、照明灯２の点灯／消灯を手動で切り替えるための照明スイッチ１１と、後述する消灯リレー１６の常閉接点（照明消灯手段）１６ａと、照明灯２とが直列に接続されている。同様に、直流電源端子Ｐ，Ｎ間には、冷房装置１の運転／停止を手動で切り替えるための冷房スイッチ１２と、後述する冷房停止リレー１７の常閉接点（空調停止手段）１７ａと、冷房装置１とが直列に接続されている。なお、冷房装置１の内部には送風ファン１ａとコンプレッサ１ｂとがあり、これらは並列に電源に接続されている。また、直流電源端子Ｐ，Ｎ間には、エレベータの呼び登録がなくなり乗りかごが待機状態となったときに閉成する常開接点（かご待機状態検出手段）１３と、乗りかごのドアが閉状態となったときに閉成する常開接点（ドア閉検出手段）１４と、タイマ１５とが直列に接続されており、タイマ１５の出力側に、タイマ１５が所定時間をカウントすると通電して常閉接点１６ａを開成する消灯リレー１６と、タイマ１５が所定時間をカウントすると通電して常閉接点１７ａを開成する冷房停止リレー１７とが並列に接続されている。
【００１５】
次に、以上の構成を有する本実施形態のエレベータ制御装置の動作について説明する。エレベータの運行は、エレベータ管理者或いは保守作業者が照明スイッチ１１と冷房スイッチ１２とをオンした状態で開始される。ここで、エレベータに何らかの呼び登録（ホール呼びやかご呼びの登録）があれば、常開接点１４は開いたままでタイマ１５が作動しないので、消灯リレー１６及び冷房停止リレー１７は通電されず、これら消灯リレー１６の常閉接点１６ａと冷房停止リレー１７の常閉接点１７ａは閉状態が維持される。その結果、照明灯２は電源の供給により点灯し、また、冷房装置１は電源の供給により送風ファン１ａ及びコンプレッサ１ｂが作動して、乗りかご内への冷風の吹き出しを行う。
【００１６】
その後、登録されている最後の呼びに応答して乗りかごが目的階床に到着すると、乗りかごは呼び登録のない待機状態へと移行する。そして、乗りかごが待機状態に移行すると、常開接点１３が閉成する。また、呼び登録がない状態で乗りかごのドアが閉じると、常開接点１４も閉成する。常開接点１３と常開接点１４とがともに閉成すると、タイマ１５が作動してカウントを開始する。このタイマ１５は、新たな呼び登録がないことを条件としてカウントを継続する。そして、新たな呼び登録がないままタイマ１５が所定時間（例えば３分）をカウントすると、消灯リレー１６及び冷房停止リレー１７が通電され、これら消灯リレー１６の常閉接点１６ａ及び冷房停止リレー１７の常閉接点１７ａがともに開成される。その結果、照明灯２は電源の供給が遮断されて消灯し、冷房装置１は送風ファン１ａ及びコンプレッサ１ｂへの電源の供給が遮断されて運転を停止する。なお、タイマ１５が所定時間をカウントする前に新たな呼び登録があると、タイマ１５のカウントは停止、リセットされ、消灯リレー１６及び冷房停止リレー１７は通電されず、これら消灯リレー１６の常閉接点１６ａと冷房停止リレー１７の常閉接点１７ａは閉状態が維持される。その結果、照明灯２の点灯と冷房装置１の運転は継続される。
【００１７】
また、照明灯２が消灯し冷房装置１が運転を停止している状態で新たな呼び登録があると、当該呼び登録がされてから乗りかごが目的階床に到着してドアが開くまでの間に、消灯リレー１６及び冷房停止リレー１７の通電が停止され、消灯リレー１６の常閉接点１６ａ及び冷房停止リレー１７の常閉接点１７ａがともに閉状態に復帰する。その結果、照明灯２の点灯及び冷房装置１の運転が再開される。
【００１８】
以上説明したように、本実施形態のエレベータ制御装置によれば、乗りかごが待機状態に移行してドアが閉じてから所定時間が経過した状況、つまり、乗りかご内に乗客が存在していないと推定される状況では冷房装置１の運転を自動的に停止させるので、冷房装置１の無駄な運転による消費電力を削減し、省電力化を図ることができる。しかも、このような冷房装置１の自動運転停止制御を、既設のエレベータで通常設けられている照明灯２の自動消灯機能と連動させたかたちで実現しているので、既設のエレベータに後付けで冷房装置１を取り付けて乗りかご内の快適性向上を図る場合であっても、冷房装置１の自動運転停止制御の機能を付加することによるコスト増加を極力抑制することが可能となる。
【００１９】
［第２の実施形態］
次に、本発明を適用した第２の実施形態のエレベータ制御装置について説明する。本実施形態のエレベータ制御装置は、照明灯２の自動消灯と連動させて冷房装置１の運転モードの切り替え、すなわち送風ファン１ａとコンプレッサ１ｂの双方を作動させて冷風の吹き出しを行う第１のモードと、送風ファン１ａのみを作動させて送風のみを行う第２のモードとの切り替えを自動的に行う機能を持たせたものである。なお、本実施形態では、照明灯２の自動消灯機能が、利用客の少ない夜間の時間帯で照明灯２を消灯する機能であることを前提として説明するが、第１の実施形態のように、乗りかごが待機状態に移行してドアが閉じてから所定時間が経過した状況で照明灯２を自動消灯させる機能との連動で、冷房装置１の運転モードの切り替えを行うことも可能である。
【００２０】
図３は、本実施形態のエレベータ制御装置の要部構成を示す回路図である。この図３に示すように、直流電源端子Ｐ，Ｎ間には、照明灯２の点灯／消灯を手動で切り替えるための照明スイッチ２１と、後述する消灯リレー２５の常閉接点２５ａと、照明灯２とが直列に接続されている。同様に、直流電源端子Ｐ，Ｎ間には、冷房装置１の運転／停止を手動で切り替えるための冷房スイッチ２２と、冷房装置１とが直列に接続されている。本実施形態においても、冷房装置１内部の送風ファン１ａとコンプレッサ１ｂとは並列に電源に接続されているが、コンプレッサ１ｂに対する電源供給ラインには、冷房装置１の運転モード（第１のモード／第２のモード）を手動で切り替えるためのモード切替スイッチ２３と、後述するモード切替リレー２６の常閉接点（空調モード切替手段）２６ａとが直列に接続されている。また、直流電源端子Ｐ，Ｎ間には、昼間の時間帯（第１の時間帯）と夜間の時間帯（第２の時間帯）とを判別するための２４時間タイマ、具体的には例えば午後９時にオンし午前７時にオフする２４時間タイマ２４（時間帯判別手段）が接続されており、この２４時間タイマ２４の出力側に、２４時間タイマ２４がオンすると通電して常閉接点２５ａを開成する消灯リレー２５と、２４時間タイマ２４がオンすると通電して常閉接点２６ａを開成するモード切替リレー２６とが並列に接続されている。
【００２１】
次に、以上の構成を有する本実施形態のエレベータ制御装置の動作について説明する。本実施形態においても、エレベータの運行は、エレベータ管理者或いは保守作業者が照明スイッチ２１と冷房スイッチ２２とをオンした状態で開始される。ここで、現在の時間帯が昼間の時間帯（例えば午前７時から午後９時まで）であれば、２４時間タイマ２４はオフとなって消灯リレー２５及びモード切替リレー２６は通電されないので、これら消灯リレー２５の常閉接点２５ａとモード切替リレー２６の常閉接点２６ａは閉状態が維持される。その結果、照明灯２は電源の供給により点灯し、また、冷房装置１は電源の供給により送風ファン１ａが作動するとともに、モード切替スイッチ２３で第１のモードが選択されていればコンプレッサ１ｂも作動して、乗りかご内への冷風の吹き出し（第１のモードによる運転）を行う。なお、エレベータ管理者或いは保守作業員によるモード切替スイッチ２３の手動操作により第２のモードが選択されている場合には、コンプレッサ１ｂへの電源の供給は遮断され、冷房装置１は送風ファン１ａのみの作動により乗りかご内への送風（第２のモードによる運転）を行う。
【００２２】
一方、現在の時間帯が夜間の時間帯（例えば午後９時から翌午前７時まで）であれば、２４時間タイマ２４がオンとなって消灯リレー２５及びモード切替リレー２６が通電され、これら消灯リレー２５の常閉接点２５ａ及びモード切替リレー２６の常閉接点２６ａがともに開成される。その結果、照明灯２は電源の供給が遮断されて消灯し、冷房装置１はコンプレッサ１ｂへの電源供給が遮断されて、送風ファン１ａのみの作動による乗りかご内への送風（第２のモードによる運転）を行う。
【００２３】
また、夜間の時間帯で照明灯２が消灯し冷房装置１が第２の運転モードで運転している状態で何らかの呼び登録があると、消灯リレー２５及びモード切替リレー２６の通電が一時的に停止され、消灯リレー２５の常閉接点２５ａ及びモード切替リレー２６の常閉接点２６ａがともに閉状態に復帰する。その結果、照明灯２の点灯が一時的に再開されるとともに、冷房装置１の運転モードが一時的に第１のモードに切り替えられる。
【００２４】
以上説明したように、本実施形態のエレベータ制御装置によれば、利用客が少ないことが想定される夜間の時間帯では冷房装置１の運転を送風のみを行う第２のモードに自動的に切り替えるので、夜間に利用客がいないにも拘わらず冷房装置１が冷風の吹き出しを続けることによる無駄な消費電力を削減し、省電力化を図ることができる。しかも、このような冷房装置１の自動モード切替制御を、既設のエレベータで通常設けられている照明灯２の自動消灯機能と連動させたかたちで実現しているので、既設のエレベータに後付けで冷房装置１を取り付けて乗りかご内の快適性向上を図る場合であっても、冷房装置１の自動モード切替制御の機能を付加することによるコスト増加を極力抑制することが可能となる。
【００２５】
［第３の実施形態］
次に、本発明を適用した第３の実施形態のエレベータ制御装置について説明する。本実施形態のエレベータ制御装置は、第２の実施形態と同様に時間帯に応じた照明灯２の自動消灯と連動させて冷房装置１の運転モードの切り替えを自動的に行う機能に加えて、夜間の時間帯で冷房装置１を第２のモードで運転させている状況で、乗りかごが待機状態に移行してドアが閉じてから所定時間が経過した場合には、冷房装置１の運転を自動的に停止させる機能も持たせたものである。
【００２６】
図４は、本実施形態のエレベータ制御装置の要部構成を示す回路図である。この図４に示すように、直流電源端子Ｐ，Ｎ間には、照明灯２の点灯／消灯を手動で切り替えるための照明スイッチ３１と、後述する消灯リレー３５の常閉接点３５ａと、照明灯２とが直列に接続されている。同様に、直流電源端子Ｐ，Ｎ間には、冷房装置１の運転／停止を手動で切り替えるための冷房スイッチ３２と、冷房装置１とが直列に接続されている。本実施形態においても、冷房装置１内部の送風ファン１ａとコンプレッサ１ｂとは並列に電源に接続されているが、送風ファン１ａに対する電源供給ラインには、後述する冷房停止リレー４０の常閉接点４０ａが接続され、コンプレッサ１ｂに対する電源供給ラインには、冷房装置１の運転モードを手動で切り替えるためのモード切替スイッチ３３と、後述するモード切替リレー３６の常閉接点３６ａとが直列に接続されている。また、直流電源端子Ｐ，Ｎ間には、昼間の時間帯と夜間の時間帯とを判別するための２４時間タイマ、具体的には例えば午後９時にオンし午前７時にオフする２４時間タイマ３４が接続されており、この２４時間タイマ３４の出力側に、２４時間タイマ３４がオンすると通電して常閉接点３５ａを開成する消灯リレー３５と、２４時間タイマ３４がオンすると通電して常閉接点３６ａを開成するモード切替リレー３６とが並列に接続されている。さらに、直流電源端子Ｐ，Ｎ間には、エレベータの呼び登録がなくなり乗りかごが待機状態となったときに閉成する常開接点３７と、乗りかごのドアが閉状態となったときに閉成する常開接点３８と、タイマ３９と、タイマ３９が所定時間をカウントすると通電して常閉接点４０ａを開成する冷房停止リレー４０とが直列に接続されている。
【００２７】
次に、以上の構成を有する本実施形態のエレベータ制御装置の動作について説明する。本実施形態においても、エレベータの運行は、エレベータ管理者或いは保守作業者が照明スイッチ３１と冷房スイッチ３２とをオンした状態で開始される。ここで、現在の時間帯が昼間の時間帯（例えば午前７時から午後９時まで）であれば、２４時間タイマ３４はオフとなって消灯リレー３５及びモード切替リレー３６は通電されないので、これら消灯リレー３５の常閉接点３５ａとモード切替リレー３６の常閉接点３６ａは閉状態が維持される。その結果、照明灯２は電源の供給により点灯し、また、冷房装置１は電源の供給により送風ファン１ａが作動するとともに、モード切替スイッチ３３で第１のモードが選択されていればコンプレッサ１ｂも作動して、乗りかご内への冷風の吹き出し（第１のモードによる運転）を行う。なお、エレベータ管理者或いは保守作業員によるモード切替スイッチ３３の手動操作により第２のモードが選択されている場合には、コンプレッサ１ｂへの電源の供給は遮断され、冷房装置１は送風ファン１ａのみの作動により乗りかご内への送風（第２のモードによる運転）を行う。
【００２８】
一方、現在の時間帯が夜間の時間帯（例えば午後９時から翌午前７時まで）であれば、２４時間タイマ３４がオンとなって消灯リレー３５及びモード切替リレー３６が通電され、これら消灯リレー３５の常閉接点３５ａ及びモード切替リレー３６の常閉接点３６ａがともに開成される。その結果、照明灯２は電源の供給が遮断されて消灯し、冷房装置１はコンプレッサ１ｂへの電源供給が遮断されて、送風ファン１ａのみの作動による乗りかご内への送風（第２のモードによる運転）を行う。
【００２９】
また、夜間の時間帯で照明灯２が消灯している状態で何らかの呼び登録があると、消灯リレー３５の通電が一時的に停止され、消灯リレー３５の常閉接点３５ａが閉状態に復帰する。その結果、照明灯２の点灯が一時的に再開される。また、本実施形態では、夜間の時間帯で呼び登録がある状態では、冷房装置１が第２のモードによる運転を継続する。そして、その後、乗りかごが呼び登録のない待機状態へと移行すると常開接点３７が閉成し、呼び登録がない状態で乗りかごのドアが閉じると常開接点３８も閉成する。常開接点３７と常開接点３８とがともに閉成すると、タイマ３９が作動してカウントを開始し、新たな呼び登録がないままタイマ３９が所定時間（例えば３分）をカウントすると、冷房停止リレー４０が通電されて冷房停止リレー４０の常閉接点４０ａが開成される。その結果、冷房装置１はコンプレッサ１ｂへの電源の供給も遮断されて運転を停止する。その後、冷房装置１が運転を停止している状態で新たな呼び登録があると冷房停止リレー４０の通電が停止され、冷房停止リレー４０の常閉接点４０ａが閉状態に復帰する。その結果、冷房装置１の送風ファン１ａへの電源供給が再開されて、第２のモードによる運転が再開される。
【００３０】
以上説明したように、本実施形態のエレベータ制御装置によれば、利用客が少ないことが想定される夜間の時間帯では冷房装置１の運転を送風のみを行う第２のモードに自動的に切り替え、さらに乗りかご内に乗客が存在していない状況では冷房装置１の運転自体を自動的に停止させるので、冷房装置１の無駄な消費電力を大幅に削減して、省電力化を測ることができる。しかも、冷房装置１の自動モード切替制御を、既設のエレベータで通常設けられている照明灯２の自動消灯機能と連動させたかたちで実現しているので、既設のエレベータに後付けで冷房装置１を取り付けて乗りかご内の快適性向上を図る場合であっても、冷房装置１の自動モード切替制御の機能を付加することによるコスト増加を極力抑制することが可能となる。
【００３１】
なお、以上説明した各実施形態は本発明の具体的な適用例を例示したものであり、本発明の技術的範囲は以上の各実施形態の説明で開示した内容に限定されるものではない。すなわち、例えばエレベータ制御装置の具体的な回路構成などは、同等の機能を実現できるものであれば、以上の開示から容易に導き得る様々な代替技術への置き換えも可能である。また、以上説明した例では、既設のエレベータの乗りかごに対して後付けで取り付ける空調装置として冷房装置１を例示しているが、勿論、冷房機能以外の暖房機能や除湿機能など、乗りかご内を空調して快適性を向上させるための他の機能を備えた空調装置を取り付ける場合でも、本発明は有効に適用可能である。また、以上説明した例では、冷房装置１を乗りかご内部に後付けで取り付けた構造のエレベータを制御対象としているが、勿論、図５に示すように、乗りかご５の外部、例えば乗りかご５上部の外壁上などに冷房装置１を取り付けた構造のエレベータを制御対象とするものであってもよい。
【図面の簡単な説明】
【００３２】
【図１】本発明が適用されるエレベータの乗りかご内部の様子を示す図。
【図２】第１の実施形態のエレベータ制御装置の要部構成を示す回路図。
【図３】第２の実施形態のエレベータ制御装置の要部構成を示す回路図。
【図４】第３の実施形態のエレベータ制御装置の要部構成を示す回路図。
【図５】冷房装置が乗りかご上部に設置されている様子を示す図。
【符号の説明】
【００３３】
１  冷房装置
１ａ  送風ファン
１ｂ  コンプレッサ
２  照明灯
１１，２１，３１  照明スイッチ
１２，２２，３２  冷房スイッチ
１３，１４，３７，３８  常開接点
１５，３９  タイマ
１６，２５，３５  消灯リレー
１６ａ，２５ａ，３５ａ  常閉接点
１７，４０  冷房停止リレー
１７ａ，４０ａ  常閉接点
２３，３３  モード切替スイッチ
２４，３４  ２４時間タイマ
２６，３６  モード切替リレー
２６ａ，３６ａ  常閉接点
【図１】
2008037614.tif 000003
【図２】
2008037614.tif 000004
【図３】
2008037614.tif 000005
【図４】
2008037614.tif 000006
【図５】
2008037614.tif 000007